(57)【要約】      （修正有）【課題】流入路と流出路間に設けたシリンダを操作することにより、散水量の調整を可能とした散水具を提供する。【解決手段】流入路と流出路４３間に設けられたシリンダ収容室２２に流出路４３へ向けて開口した有底筒状のシリンダ５１を回転自在に設け、シリンダ５１を回転操作する操作部を散水具本体１１の後端部に設ける。シリンダ５１の周面６１は、流入路からシリンダ収容室２２に連通する開口部３２に対向する。シリンダ５１の周面６１に、開口部３２と流出路４３とを連通可能なシリンダ５１の軸方向に延在するスリット部７１と、シリンダ５１の内側に連通した小穴８１及び大穴８３とを設ける。【選択図】図２
0003147709.tif 000002
【実用新案登録請求の範囲】
【請求項１】
流入路と流出路間に設けられたシリンダ収容室にシリンダを設け、該シリンダを駆動操作する操作部を散水具本体の外側に設けるとともに、前記シリンダの周面が前記流入路から前記シリンダ収容室に連通する開口部に対向して設けられた散水具であって、
前記シリンダの周面に、前記開口部と前記流出路とを連通可能な凹部又は当該シリンダの内側に連通して前記流出路に連通する穴を設けたことを特徴とする散水具。
【請求項２】
流入路と流出路間に設けられたシリンダ収容室にシリンダを回転自在に設け、該シリンダを回転操作する操作部を散水具本体の外側に設けるとともに、前記シリンダの周面が前記流入路から前記シリンダ収容室に連通する開口部に対向して設けられた散水具であって、
前記シリンダの周面に、前記開口部と前記流出路とを連通可能な凹部又は当該シリンダの内側に連通して前記流出路に連通する穴を設けたことを特徴とする散水具。
【請求項３】
流入路と流出路間に設けられたシリンダ収容室にシリンダを設け、該シリンダを駆動操作する操作部を散水具本体の外側に設けるとともに、前記シリンダの周面が前記流入路から前記シリンダ収容室に連通する開口部に対向して設けられた散水具であって、
前記シリンダの周面に、前記開口部と前記流出路とを連通可能な当該シリンダの軸方向に延在するスリット部又は当該シリンダの内側に連通して前記流出路に連通する穴を設けたことを特徴とする散水具。
【請求項４】
流入路と流出路間に設けられたシリンダ収容室にシリンダを回転自在に設け、該シリンダを回転操作する操作部を散水具本体の外側に設けるとともに、前記シリンダの周面が前記流入路から前記シリンダ収容室に連通する開口部に対向して設けられた散水具であって、
前記シリンダの周面に、前記開口部と前記流出路とを連通可能な当該シリンダの軸方向に延在するスリット部又は当該シリンダの内側に連通して前記流出路に連通する穴を設けたことを特徴とする散水具。
【請求項５】
流入路と流出路間に設けられたシリンダ収容室に前記流出路へ向けて開口した有底筒状のシリンダを回転自在に設け、該シリンダを回転操作する操作部を散水具本体の外側に設けるとともに、前記シリンダの周面が前記流入路から前記シリンダ収容室に連通する開口部に対向して設けられた散水具であって、
前記シリンダの周面に、前記開口部と前記流出路とを連通可能な当該シリンダの軸方向に延在するスリット部と、当該シリンダの内側に連通した穴とを設けたことを特徴とする散水具。
【請求項６】
前記穴を、小径の小穴と、該小穴より大径の大穴とで構成したことを特徴とする請求項１又は２記載の散水具。
【請求項７】
前記凹部と前記各穴とを、前記凹部、前記小穴、前記大穴の順に前記シリンダの周方向に配置したことを特徴とする請求項６記載の散水具。
【請求項８】
前記穴を、小径の小穴と、該小穴より大径の大穴とで構成したことを特徴とする請求項３，４又は５記載の散水具。
【請求項９】
前記スリット部と前記各穴とを、前記スリット部、前記小穴、前記大穴の順に前記シリンダの周方向に配置したことを特徴とする請求項８記載の散水具。
【考案の詳細な説明】
【技術分野】
【０００１】
本考案は、植木や草花への散水や洗車時などに用いられる散水具に関する。
【背景技術】
【０００２】
従来、植木や草花へ散水したり洗車をする際には、散水具が用いられていた。
【０００３】
この散水具のガン本体には、握持用のハンドルが設けられており、該ハンドルには、操作用のレバーが設けられている。該レバーには、ピストンが連結されており、該ピストンの先端には、止水用の弁体が形成されている。
【０００４】
この弁体は、散水用の水が通流する通流口を開閉するように構成されており、前記レバーを操作して前記弁体で前記通流口を開閉することによって、流入路から流入した水を前記通流口を介して前記シリンダ先端の散水部から散水できるように構成されている。
【考案の開示】
【考案が解決しようとする課題】
【０００５】
しかしながら、このような散水具にあっては、レバー操作によってピストンを後退した際にピストン先端の弁体が通流口を開口するように構成されている。
【０００６】
このため、前記弁体が前記通流口を開口した時点で当該散水具から水が散水されるように構成されており、前記レバー変位量を示すレバーの開度に対する当該散水具からの散水される流量は、レバーの開度が所定値に達した際に増大してしまう。
【０００７】
これにより、散水量を調整することができなかった。
【０００８】
本考案は、このような従来の課題に鑑みてなされたものであり、散水量の調整を可能とすることができる散水具を提供することを目的とするものである。
【課題を解決するための手段】
【０００９】
前記課題を解決するために本考案の請求項１の散水具にあっては、流入路と流出路間に設けられたシリンダ収容室にシリンダを設け、該シリンダを駆動操作する操作部を散水具本体の外側に設けるとともに、前記シリンダの周面が前記流入路から前記シリンダ収容室に連通する開口部に対向して設けられた散水具であって、前記シリンダの周面に、前記開口部と前記流出路とを連通可能な凹部又は当該シリンダの内側に連通して前記流出路に連通する穴を設けた。
【００１０】
すなわち、この散水具からの散水量を調整する際には、散水具本体の外側に設けられた操作部を操作することで、シリンダ収容室に収容されたシリンダを駆動操作する。
【００１１】
このとき、前記シリンダの周面には、流入路からシリンダ収容室に連通する開口部と流出路とを連通可能な凹部又は前記流出路に連通する穴が設けられている。
【００１２】
このため、前記凹部を前記開口部に合わせることによって、前記凹部と前記シリンダ収容室の摺接面との間に形成される間隙を介して、前記流入路より流入した流入水が流出路へ通流される。
【００１３】
又は、前記シリンダ周面に設けられた前記穴を前記開口部に合わせることによって、前記流入路より流入した流入水を前記穴を介して前記流出路へ通流される。
【００１４】
このように、前記操作部を操作して前記シリンダを駆動することにより、前記流出路への通流経路を変更でき、当該流出路への通流量が通流経路に応じて可変される。
【００１５】
また、本考案の請求項２の散水具にあっては、流入路と流出路間に設けられたシリンダ収容室にシリンダを回転自在に設け、該シリンダを回転操作する操作部を散水具本体の外側に設けるとともに、前記シリンダの周面が前記流入路から前記シリンダ収容室に連通する開口部に対向して設けられた散水具であって、前記シリンダの周面に、前記開口部と前記流出路とを連通可能な凹部又は当該シリンダの内側に連通して前記流出路に連通する穴を設けた。
【００１６】
すなわち、この散水具からの散水量を調整する際には、散水具本体の外側に設けられた操作部を操作することで、シリンダ収容室に収容されたシリンダを回動操作する。
【００１７】
このとき、前記シリンダの周面には、流入路からシリンダ収容室に連通する開口部と流出路とを連通可能な凹部が当該シリンダの軸方向に延在する、又は前記流出路に連通する穴が設けられている。
【００１８】
このため、前記凹部を前記開口部に合わせることによって、前記凹部と前記シリンダ収容室の摺接面との間に形成される間隙を介して、前記流入路より流入した流入水が流出路へ通流される。
【００１９】
又は、前記シリンダ周面に設けられた前記穴を前記開口部に合わせることによって、前記流入路より流入した流入水を前記穴を介して前記流出路へ通流される。
【００２０】
このように、前記操作部を操作して前記シリンダを回動することにより、前記流出路への通流経路を変更でき、当該流出路への通流量が通流経路に応じて可変される。
【００２１】
さらに、本考案の請求項３の散水具にあっては、流入路と流出路間に設けられたシリンダ収容室にシリンダを設け、該シリンダを駆動操作する操作部を散水具本体の外側に設けるとともに、前記シリンダの周面が前記流入路から前記シリンダ収容室に連通する開口部に対向して設けられた散水具であって、前記シリンダの周面に、前記開口部と前記流出路とを連通可能な当該シリンダの軸方向に延在するスリット部又は当該シリンダの内側に連通して前記流出路に連通する穴を設けた。
【００２２】
すなわち、この散水具からの散水量を調整する際には、散水具本体の外側に設けられた操作部を操作することで、シリンダ収容室に収容されたシリンダを駆動操作する。
【００２３】
このとき、前記シリンダの周面には、流入路からシリンダ収容室に連通する開口部と流出路とを連通可能なスリット部が当該シリンダの軸方向に延在する、又は前記流出路に連通する穴が設けられている。
【００２４】
このため、前記スリット部を前記開口部に合わせることによって、前記スリット部と前記シリンダ収容室の摺接面との間に形成される間隙を介して、前記流入路より流入した流入水が流出路へ通流される。
【００２５】
又は、前記シリンダ周面に設けられた前記穴を前記開口部に合わせることによって、前記流入路より流入した流入水を前記穴を介して前記流出路へ通流される。
【００２６】
このように、前記操作部を操作して前記シリンダを駆動することにより、前記流出路への通流経路を変更でき、当該流出路への通流量が通流経路に応じて可変される。
【００２７】
また、本考案の請求項４の散水具にあっては、流入路と流出路間に設けられたシリンダ収容室にシリンダを回転自在に設け、該シリンダを回転操作する操作部を散水具本体の外側に設けるとともに、前記シリンダの周面が前記流入路から前記シリンダ収容室に連通する開口部に対向して設けられた散水具であって、前記シリンダの周面に、前記開口部と前記流出路とを連通可能な当該シリンダの軸方向に延在するスリット部又は当該シリンダの内側に連通して前記流出路に連通する穴を設けた。
【００２８】
すなわち、この散水具からの散水量を調整する際には、散水具本体の外側に設けられた操作部を操作することで、シリンダ収容室に収容されたシリンダを回動操作する。
【００２９】
このとき、前記シリンダの周面には、流入路からシリンダ収容室に連通する開口部と流出路とを連通可能なスリット部が当該シリンダの軸方向に延在する、又は前記流出路に連通する穴が設けられている。
【００３０】
このため、前記スリット部を前記開口部に合わせることによって、前記スリット部と前記シリンダ収容室の摺接面との間に形成される間隙を介して、前記流入路より流入した流入水が流出路へ通流される。
【００３１】
又は、前記シリンダ周面に設けられた前記穴を前記開口部に合わせることによって、前記流入路より流入した流入水を前記穴を介して前記流出路へ通流される。
【００３２】
このように、前記操作部を操作して前記シリンダを回動することにより、前記流出路への通流経路を変更でき、当該流出路への通流量が通流経路に応じて可変される。
【００３３】
さらに、本考案の請求項５の散水具にあっては、流入路と流出路間に設けられたシリンダ収容室に前記流出路へ向けて開口した有底筒状のシリンダを回転自在に設け、該シリンダを回転操作する操作部を散水具本体の外側に設けるとともに、前記シリンダの周面が前記流入路から前記シリンダ収容室に連通する開口部に対向して設けられた散水具であって、前記シリンダの周面に、前記開口部と前記流出路とを連通可能な当該シリンダの軸方向に延在するスリット部と、当該シリンダの内側に連通した穴とを設けた。
【００３４】
すなわち、この散水具からの散水量を調整する際には、散水具本体の外側に設けられた操作部を操作することで、シリンダ収容室に収容されたシリンダを回動操作する。
【００３５】
このとき、前記シリンダの周面には、流入路からシリンダ収容室に連通する開口部と流出路とを連通可能なスリット部が当該シリンダの軸方向に延在するとともに、当該シリンダの内側に連通した穴が設けられている。
【００３６】
このため、前記スリット部を前記開口部に合わせることによって、前記スリット部と前記シリンダ収容室の摺接面との間に形成される間隙を介して、前記流入路より流入した流入水が流出路へ通流される。
【００３７】
そして、前記シリンダ周面に設けられた前記穴を前記開口部に合わせることによって、前記流入路より流入した流入水を前記穴を介して当該シリンダ内に通流するとともに、該シリンダの前端開口部を介して前記流出路へ通流される。
【００３８】
このように、前記操作部を操作して前記シリンダを回動することにより、前記流出路への通流経路を変更でき、当該流出路への通流量が通流経路に応じて可変される。
【００３９】
また、請求項６の散水具においては、前記穴を、小径の小穴と、該小穴より大径の大穴とで構成した。
【００４０】
すなわち、前記シリンダの周面に設けられた前記穴は、小穴と大穴とで構成されている。
【００４１】
このため、前記シリンダ周面に設けられた前記小穴が前記開口部に合わせられることによって通流量が抑えられる。また、前記シリンダ周面に設けられた前記大穴が前記開口部に合わせられることによって通流量が増大される。
【００４２】
さらに、請求項７の散水具では、前記凹部と前記各穴とを、前記凹部、前記小穴、前記大穴の順に前記シリンダの周方向に配置した。
【００４３】
すなわち、前記シリンダの周面には、前記凹部と前記小穴と前記大穴との順で周方向に配置されている。
【００４４】
このため、前記操作部を操作して前記シリンダを駆動した際には、前記凹部と前記小穴と前記大穴との順で前記開口部に合わせられ、前記流出路への通流量が順次増大される。
【００４５】
また、請求項８の散水具においては、前記穴を、小径の小穴と、該小穴より大径の大穴とで構成した。
【００４６】
すなわち、前記シリンダの周面に設けられた前記穴は、小穴と大穴とで構成されている。
【００４７】
このため、前記シリンダ周面に設けられた前記小穴が前記開口部に合わせられることによって通流量が抑えられる。また、前記シリンダ周面に設けられた前記大穴が前記開口部に合わせられることによって通流量が増大される。
【００４８】
さらに、請求項９の散水具では、前記スリット部と前記各穴とを、前記スリット部、前記小穴、前記大穴の順に前記シリンダの周方向に配置した。
【００４９】
すなわち、前記シリンダの周面には、前記スリット部と前記小穴と前記大穴との順で周方向に配置されている。
【００５０】
このため、前記操作部を操作して前記シリンダを回動した際には、前記スリット部と前記小穴と前記大穴との順で前記開口部に合わせられ、前記流出路への通流量が順次増大される。
【考案の効果】
【００５１】
以上説明したように、本考案の請求項１の散水具にあっては、前記操作部を操作して前記シリンダを駆動することにより、前記流出路への通流量を可変することができる。
【００５２】
これにより、レバー操作によってピストンを後退させ通流路を開閉する従来の散水具と比較して、散水量の調整が可能となるため、利便性が向上する。
【００５３】
また、本考案の請求項２の散水具にあっては、前記操作部を操作して前記シリンダを回動することにより、前記流出路への通流量を可変することができる。
【００５４】
これにより、レバー操作によってピストンを後退させ通流路を開閉する従来の散水具と比較して、散水量の調整が可能となるため、利便性が向上する。
【００５５】
さらに、本考案の請求項３の散水具にあっては、前記操作部を操作して前記シリンダを駆動することにより、前記流出路への通流量を可変することができる。
【００５６】
これにより、レバー操作によってピストンを後退させ通流路を開閉する従来の散水具と比較して、散水量の調整が可能となるため、利便性が向上する。
【００５７】
また、本考案の請求項４の散水具にあっては、前記操作部を操作して前記シリンダを回動することにより、前記流出路への通流量を可変することができる。
【００５８】
これにより、レバー操作によってピストンを後退させ通流路を開閉する従来の散水具と比較して、散水量の調整が可能となるため、利便性が向上する。
【００５９】
さらに、本考案の請求項５の散水具にあっては、前記操作部を操作して前記シリンダを回動することにより、前記流出路への通流経路を変更でき、当該流出路への通流量を通流経路に応じて可変することができる。
【００６０】
これにより、レバー操作によってピストンを後退させ通流路を開閉する従来の散水具と比較して、散水量の調整が可能となるため、利便性が向上する。
【００６１】
また、請求項６の散水具においては、前記シリンダ周面に設けられた前記小穴を前記開口部に合わせることによって通流量を抑え、前記シリンダ周面に設けられた前記大穴を前記開口部に合わせることによって通流量を増大することができる。
【００６２】
これにより、散水量の調整範囲を広げることができる。
【００６３】
さらに、請求項７の散水具では、前記操作部を操作して前記シリンダを駆動した際に、前記凹部と前記小穴と前記大穴との順で前記開口部に合わせることができる。
【００６４】
このため、前記流出路への通流量を順次増大することができる。
【００６５】
また、請求項８の散水具においては、前記シリンダ周面に設けられた前記小穴を前記開口部に合わせることによって通流量を抑え、前記シリンダ周面に設けられた前記大穴を前記開口部に合わせることによって通流量を増大することができる。
【００６６】
これにより、散水量の調整範囲を広げることができる。
【００６７】
さらに、請求項９の散水具では、前記操作部を操作して前記シリンダを回動した際に、前記スリット部と前記小穴と前記大穴との順で前記開口部に合わせることができる。
【００６８】
このため、前記流出路への通流量を順次増大することができる。
【考案を実施するための最良の形態】
【００６９】
以下、本考案の一実施の形態を図に従って説明する。
【００７０】
図１から図４は、本実施の形態にかかる散水具１を示す図であり、該散水具１は、植木や草花へ散水したり洗車をする際に用いられるものである。なお、図１においては、散水具１から図外の散水ヘッドが取り外された状態が示されている。
【００７１】
この散水具１の散水具本体１１には、図１に示したように、握持用のハンドル１２と、該ハンドル１２の上端部より前方へ向けて延出した前方延出部１３とによってガン形状に形成されており、該前方延出部１３の基端部には、回転操作される操作部１４が回動可能に設けられている。
【００７２】
図２は、前記ハンドル１２の上部を示す断面図であり、該ハンドル１２の上部には、シリンダ収容部品２１が内嵌している。該シリンダ収容部品２１は、円筒状に形成されており、その内側には、シリンダ収容室２２が形成されている。
【００７３】
また、前記シリンダ収容部品２１には、前記ハンドル１２内へ延出するハンドル側延出部３１が形成されており、該ハンドル側延出部３１には、前記シリンダ収容室２２に開口部３２を介して連通した流入路３３が形成されている。
【００７４】
この流入路３３は、図１に示したように、前記ハンドル１２の基端に設けられたホース接続部４１に接続されるとともに、当該流入路３３には、前記ハンドル１２に設けられたレバー４２によって開閉される図外の弁機構が設けられている。
【００７５】
これにより、前記レバー４２を前記ハンドル１２と共に握持して前記弁機構を開作動することによって、前記ホース接続部４１に接続されたホースからの供給水を、図２に示したように、前記開口部３２を介して前記シリンダ収容室２２に入流できるように構成されており、該シリンダ収容室２２に流入した供給水は、当該シリンダ収容部品２１の先端に設けられた流出路４３を介して、前記散水ヘッドに供給されるように構成されている。
【００７６】
このシリンダ収容室２２には、シリンダ５１が回転自在に収容されており、Ｏリング５２が装着されたシリンダ５１の基端からは、操作バー５３が延出している。該操作バー５３は、前記ハンドル１２上部後端に達する長さに設定されており、この操作バー５３の後端には、前記操作部１４が固定されている（図１参照）。
【００７７】
これにより、前記散水具本体１１の外側に設けられた前記操作部１４を回転操作することによって、前記操作バー５３を介して前記シリンダ５１を前記シリンダ収容室２２内で回動できるように構成されている。
【００７８】
前記シリンダ５１は、前記流出路４３へ向けて開口した有底円筒状に形成されており、当該シリンダ５１の周面６１は、前記シリンダ収容室２２の内側面６２に摺接するとともに、前記流入路３３から前記シリンダ収容室２２に連通する前記開口部３２に対向するように構成されている。
【００７９】
前記シリンダ５１の周面６１には、平面状に形成されてなる凹部を構成するスリット部７１が軸方向に延設されており、該スリット部７１は、当該シリンダ５１の先端に達するように構成されている。
【００８０】
これにより、前記スリット部７１を、前記開口部３２に合わせた状態で、前記流入路３３を前記スリット部７１と前記シリンダ収容室２２の内側面６２間に形成された間隙を介して、前記流出路４３に連通できるように構成されている。
【００８１】
また、前記スリット部７１の側部には、矩形状の小穴８１が開設されており、この小穴８１は、当該シリンダ５１の内側空間８２に連通している。この小穴８１の側部には、当該小穴８１より大径であって、軸方向に延在する長方形状の大穴８３が開設されており、この大穴８３は、当該シリンダ５１の前記内側空間８２に連通している。
【００８２】
これにより、前記スリット部７１と前記各穴８１，８３とは、前記スリット部７１、前記小穴８１、前記大穴８３の順に前記シリンダ５１の周方向に配置されている。
【００８３】
以上の構成にかかる本実施の形態において、この散水具１からの散水量を調整する際には、散水具本体１１の外側に設けられた操作部１４を操作することで、シリンダ収容室２２に収容されたシリンダ５１を回動操作する。
【００８４】
このとき、前記シリンダ５１の周面６１には、流入路３３からシリンダ収容室２２に連通する開口部３２と流出路４３とを連通可能なスリット部７１が当該シリンダ５１の軸方向に延在するとともに、当該シリンダ５１の内側空間８２に連通した小穴８１及び大穴８３が設けられている。
【００８５】
このため、前記スリット部７１を前記開口部３２に合わせることによって、前記スリット部７１と前記シリンダ収容室２２の内側面６２との間に形成される間隙を介して、前記流入路３３より流入した流入水が流出路４３へ通流される。
【００８６】
そして、前記シリンダ５１の周面６１に設けられた前記小穴８１及び大穴８３を前記開口部３２に合わせることによって、前記流入路３３より流入した流入水を前記各穴８１，８３を介して、当該シリンダ５１内に通流するとともに、該シリンダ５１の前端開口部を介して、前記流出路４３へ通流される。
【００８７】
このように、前記操作部１４を操作して前記シリンダ５１を回動することにより、前記流出路４３への通流経路を変更でき、当該流出路４３への通流量を通流経路に応じて可変することができる。
【００８８】
これにより、レバー操作によってピストンを後退させ通流路を開閉する従来の散水具と比較して、散水量の調整が可能となるため、利便性が向上する。
【００８９】
また、前記シリンダ５１の周面６１に設けられた前記穴は、小穴８１と大穴８３とで構成されている。
【００９０】
このため、前記シリンダ５１周面６１に設けられた前記小穴８１を前記開口部３２に合わせることによって通流量を抑え、前記シリンダ５１周面６１に設けられた前記大穴８３を前記開口部３２に合わせることによって通流量を増大することができる。
【００９１】
これにより、散水量の調整範囲を広げることができる。
【００９２】
さらに、前記シリンダ５１の周面６１には、前記スリット部７１と前記小穴８１と前記大穴８３との順で周方向に配置されている。
【００９３】
このため、前記操作部１４を操作して前記シリンダ５１を回動した際に、前記スリット部７１と前記小穴８１と前記大穴８３との順で前記開口部３２に合わせることができる。
【００９４】
これにより、前記流出路４３への通流量を順次増大することができる。
【００９５】
図３は、前記操作部１４の回転角と前記流入路３３側から前記開口部３２を介して見た前記シリンダ５１の周面６１の様子を示す図であり、図４は、各回転角での全開時に対する流量の割合を示す図である。
【００９６】
この図３からも解るように、前記操作部１４の回転角に応じて、前記スリット部７１及び前記各穴８１，８３が、前記スリット部７１、前記小穴８１、前記大穴８３の順で前記開口部３２に合わせられ、図４に示したように、各回転角の増加に伴って前記流出路４３へ流れる流量が徐々に増大することがわかる。
【００９７】
したがって、本実施の形態の流量特性１０１では、従来の流量特性１０２と比較して、細かな流量調整が可能であることが解る。
【００９８】
図５から図７は、他の実施の形態を示す図であり、前述の実施の形態と同一又は同等部分に付いては、同符号を付して説明を割愛するとともに、異なる部分に付いてのみ説明する。
【００９９】
すなわち、シリンダ収容室２２に収容されたシリンダ５１の周面６１には、図６に示したように、複数の凹溝２０１，・・・が軸方向に延設されており、各凹溝２０１，・・・は、周方向に並設されている。各凹溝２０１，・・・は、当該シリンダ５１の先端に達するように形成されており、隣接した凹溝２０１，・・・は、その溝幅や長さ寸法が異なるように設定されている。
【０１００】
前記シリンダ５１の周面６１には、軸方向に延在する切欠部２１１も設けられており、該切欠部２１１は、その先端が当該シリンダ５１の先端に達するように設定されている。
【０１０１】
図７は、前記操作部１４の回転角と前記流入路３３側から前記開口部３２を介して見た前記シリンダ５１の周面６１の様子とを示す図であり、前記操作部１４の回転角を０％から１００％に増加するに従って、前記開口部３２に連通する凹溝２０１，・・・の総面積及び前記切欠部２１１が増え、前記開口部３２を介して前記流出路４３へ流出される流水量が徐々に増大することがわかる。
【０１０２】
図８及び図９は、さらに他の実施の形態を示す図であり、前述の実施の形態と同一又は同等部分に付いては、同符号を付して説明を割愛するとともに、異なる部分に付いてのみ説明する。
【０１０３】
すなわち、シリンダ収容室２２に収容されたシリンダ５１は、図８に示したように、円柱状に形成されており、その先端部は、斜めに傾斜した傾斜面３０１が形成されている。
【０１０４】
ここで、本実施の形態では、前記シリンダ５１の先端に傾斜面３０１を形成した場合に付いて説明するが、これに限定されるものではなく、当該シリンダ５１を中空状に形成し、前記傾斜面をくり抜いた形状にしても良い。
【０１０５】
これにより、前記操作部１４を回転操作して、図８から図９に示したように、前記シリンダ５１を回動することによって、前記流入路３３に連通した前記開口部３２の開口面積を徐々に増大し、図９に示したように、全開にできるように構成されており、前記開口部３２を介して前記流出路４３へ流出される流水量を徐々に増大することができる。
【図面の簡単な説明】
【０１０６】
【図１】本考案の一実施の形態を示す斜視図である。
【図２】同実施の形態の各所を示す説明図である。
【図３】同実施の形態の動作を示す説明図である。
【図４】同実施の形態の流量特性を示す図である。
【図５】他の実施の形態の要部を示す説明図である。
【図６】同実施の形態のシリンダを示す説明図である。
【図７】同実施の形態の動作を示す説明図である。
【図８】他の実施の形態の要部を示す説明図である。
【図９】同実施の形態の動作状態を示す説明図である。
【符号の説明】
【０１０７】
１    散水具
１１    散水具本体
１４    操作部
２２    シリンダ収容部
３２    開口部
３３    流入路
４３    流出路
５１    シリンダ
６１    周面
７１    スリット部
８１    小穴
８３    大穴
【図１】
0003147709.tif 000003
【図２】
0003147709.tif 000004
【図３】
0003147709.tif 000005
【図４】
0003147709.tif 000006
【図５】
0003147709.tif 000007
【図６】
0003147709.tif 000008
【図７】
0003147709.tif 000009
【図８】
0003147709.tif 000010
【図９】
0003147709.tif 000011